(57)【要約】【課題】特別のハードウェアを必要とすることなく、入力したキーが有効なのか無効なのかを容易に知ることが可能な携帯電話機を提供する。【解決手段】制御部１５は電源がＯＮとなり、キーシート１６でキーの入力が検出されると、キー割り当て情報１９１を参照し、入力されたキーが有効であるか否かを判断する。制御部１５は入力されたキーが有効であれば、ビープ音（ＢＥＥＰ＃１）をスピーカ１７から発生させ、入力されたキーが無効であれば、ビープ音（ＢＥＥＰ＃１）とは異なるビープ音（ＢＥＥＰ＃２）をスピーカ１７から発生させる。【選択図】　　　図１
2004146962.tif 000002
【特許請求の範囲】
【請求項１】
少なくとも着信を通知する通知手段と、キー入力操作を行う入力手段とを含む携帯電話機であって、前記入力手段によるキー入力操作が有効か無効かを判断する手段と、前記キー入力操作が有効と判断された時に前記通知手段を用いて予め設定された第１のパターンで前記キー入力操作の有効を通知させる手段と、前記キー入力操作が無効と判断された時に前記通知手段を用いて前記第１のパターンとは異なりかつ予め設定された第２のパターンで前記キー入力操作の無効を通知させる手段とを有することを特徴とする携帯電話機。
【請求項２】
前記通知手段としてスピーカと、バイブレータと、ＬＣＤ（Ｌｉｑｕｉｄ　Ｃｒｙｓｔａｌ　Ｄｉｓｐｌａｙ）バックライトと、キーＬＥＤ（Ｌｉｇｈｔ　Ｅｍｉｔｔｉｎｇ　Ｄｉｏｄｅ）とのうちの少なくとも一つを用いることを特徴とする請求項１記載の携帯電話機。
【請求項３】
自端末を無音状態で使用するモードの時に前記バイブレータと、前記ＬＣＤバックライトと、前記キーＬＥＤとのうちの少なくとも一つを前記通知手段として用いることを特徴とする請求項２記載の携帯電話機。
【請求項４】
前記キー入力操作が有効か無効かを判断する手段は、キー各々が有効であるか無効であるかを示すリスト情報を基に前記キー入力操作が有効か無効かを判断することを特徴とする請求項１から請求項３のいずれか記載の携帯電話機。
【請求項５】
少なくとも着信を通知する通知手段と、キー入力操作を行う入力手段とを含む携帯電話機のキー操作表示方法であって、前記入力手段によるキー入力操作が有効か無効かを判断するステップと、前記キー入力操作が有効と判断された時に前記通知手段を用いて予め設定された第１のパターンで前記キー入力操作の有効を通知させるステップと、前記キー入力操作が無効と判断された時に前記通知手段を用いて前記第１のパターンとは異なりかつ予め設定された第２のパターンで前記キー入力操作の無効を通知させるステップとを有することを特徴とするキー操作表示方法。
【請求項６】
前記通知手段としてスピーカと、バイブレータと、ＬＣＤ（Ｌｉｑｕｉｄ　Ｃｒｙｓｔａｌ　Ｄｉｓｐｌａｙ）バックライトと、キーＬＥＤ（Ｌｉｇｈｔ　Ｅｍｉｔｔｉｎｇ　Ｄｉｏｄｅ）とのうちの少なくとも一つを用いることを特徴とする請求項５記載のキー操作表示方法。
【請求項７】
自端末を無音状態で使用するモードの時に前記バイブレータと、前記ＬＣＤバックライトと、前記キーＬＥＤとのうちの少なくとも一つを前記通知手段として用いることを特徴とする請求項６記載のキー操作表示方法。
【請求項８】
前記キー入力操作が有効か無効かを判断するステップは、キー各々が有効であるか無効であるかを示すリスト情報を基に前記キー入力操作が有効か無効かを判断することを特徴とする請求項５から請求項７のいずれか記載のキー操作表示方法。
【請求項９】
少なくとも着信を通知する通知手段と、キー入力操作を行う入力手段とを含む携帯電話機のキー操作表示方法のプログラムであって、コンピュータに、前記入力手段によるキー入力操作が有効か無効かを判断する処理と、前記キー入力操作が有効と判断された時に前記通知手段を用いて予め設定された第１のパターンで前記キー入力操作の有効を通知させる処理と、前記キー入力操作が無効と判断された時に前記通知手段を用いて前記第１のパターンとは異なりかつ予め設定された第２のパターンで前記キー入力操作の無効を通知させる処理とを実行させるためのプログラム。
【発明の詳細な説明】
【０００１】
【発明の属する技術分野】
本発明は携帯電話機及びそれに用いるキー操作表示方法並びにそのプログラムに関し、特に携帯電話機におけるキー操作の有効無効の表示方法に関する。
【０００２】
【従来の技術】
従来、携帯電話機の操作においては、一般的に無効なキー操作を行うと、その操作が無視されるため、行ったキー操作が無効であることをユーザが明確に知る手段がない。
【０００３】
この種のキー操作の表示方法としては、テンキー及びメニューキーを含むキーシートの背面側に各々のキーを個別に照明して明示させるための発光ダイオード（ＬＥＤ：Ｌｉｇｈｔ　Ｅｍｉｔｔｉｎｇ　Ｄｉｏｄｅ）群を配置し、押下有効なキーに対応する発光ダイオードのみが点灯する方法がある（例えば、特許文献１参照）。
【０００４】
この方法では、使用者に対して押下有効なキーを提示し、キー操作案内を行うことができる。これによって、操作部のメニューキーやテンキーの的確な操作を補助するようにし、無効なキーを押下することによる誤った無駄な操作を防止し、使い勝手を向上させることができる。
【０００５】
【特許文献１】
特開２００２−１６３０６３号公報（第２〜５頁、図１〜３）
【０００６】
【発明が解決しようとする課題】
しかしながら、上述した従来のキー操作の表示方法では、押下有効なキーに対応する発光ダイオードのみを点灯させているので、誤りを未然に防ぐことはできるが、押下されたキーが無効であることを知らせることはできない。
【０００７】
そこで、本発明の目的は上記の問題点を解消し、特別のハードウェアを必要とすることなく、入力したキーが有効なのか無効なのかを容易に知ることができる携帯電話機及びそれに用いるキー操作表示方法並びにそのプログラムを提供することにある。
【０００８】
【課題を解決するための手段】
本発明による携帯電話機は、少なくとも着信を通知する通知手段と、キー入力操作を行う入力手段とを含む携帯電話機であって、前記入力手段によるキー入力操作が有効か無効かを判断する手段と、前記キー入力操作が有効と判断された時に前記通知手段を用いて予め設定された第１のパターンで前記キー入力操作の有効を通知させる手段と、前記キー入力操作が無効と判断された時に前記通知手段を用いて前記第１のパターンとは異なりかつ予め設定された第２のパターンで前記キー入力操作の無効を通知させる手段とを備えている。
【０００９】
本発明によるキー操作表示方法は、少なくとも着信を通知する通知手段と、キー入力操作を行う入力手段とを含む携帯電話機のキー操作表示方法であって、前記入力手段によるキー入力操作が有効か無効かを判断するステップと、前記キー入力操作が有効と判断された時に前記通知手段を用いて予め設定された第１のパターンで前記キー入力操作の有効を通知させるステップと、前記キー入力操作が無効と判断された時に前記通知手段を用いて前記第１のパターンとは異なりかつ予め設定された第２のパターンで前記キー入力操作の無効を通知させるステップとを備えている。
【００１０】
本発明によるキー操作表示方法のプログラムは、少なくとも着信を通知する通知手段と、キー入力操作を行う入力手段とを含む携帯電話機のキー操作表示方法のプログラムであって、コンピュータに、前記入力手段によるキー入力操作が有効か無効かを判断する処理と、前記キー入力操作が有効と判断された時に前記通知手段を用いて予め設定された第１のパターンで前記キー入力操作の有効を通知させる処理と、前記キー入力操作が無効と判断された時に前記通知手段を用いて前記第１のパターンとは異なりかつ予め設定された第２のパターンで前記キー入力操作の無効を通知させる処理とを実行させている。
【００１１】
すなわち、本発明の携帯電話機は、キー操作において、端末から発せられるキータッチトーンの違いによって、押下したキーの有効性をユーザに知らせるものである。
【００１２】
より具体的に説明すると、本発明の携帯電話機では、キーシートのキー入力が検出されると、制御部がメモリ内のキー割り当て情報を参照し、キーが有効であればスピーカでビープ音（ＢＥＥＰ＃１）を鳴らして所定の処理を行い、キーが無効であった場合、スピーカでビープ音（ＢＥＥＰ＃２）を鳴らして有効なキーが入力されるまで待機する。
【００１３】
これによって、本発明の携帯電話機では、入力したキーが有効なのか無効なのかを容易に知ることが可能となるので、間違ったキー操作を繰り返し行うことを防ぐことが可能となる。この場合、本発明の携帯電話機では、携帯電話機に備わっている装置を報知手段として使用するため、特別のハードウェアが不要となる。
【００１４】
【発明の実施の形態】
次に、本発明の実施例について図面を参照して説明する。図１は本発明の一実施例による携帯電話機の構成を示すブロック図である。図１において、携帯電話機１は無線部１１と、ベースバンド部１２と、音声処理部１３と、ディスプレイ１４と、制御部１５と、キーシート１６と、スピーカ１７と、バイブレータ１８と、メモリ１９とから構成されている。
【００１５】
ディスプレイ１４はＬＣＤ（Ｌｉｑｕｉｄ　Ｃｒｙｓｔａｌ　Ｄｉｓｐｌａｙ）バックライト１４１を備え、キーシート１６はキーＬＥＤ（Ｌｉｇｈｔ　Ｅｍｉｔｔｉｎｇ　Ｄｉｏｄｅ）１６１を備えている。
【００１６】
メモリ１９はキー割り当て情報１９１及びメニュー１９２と、制御部１５が実行するプログラム（コンピュータで実行可能なプログラム）とを格納しており、メニュー１９２は機能の一覧であり、制御部１５は有効なキーが入力される度にメニュー１９２を参照し、キー割り当て情報１９１を更新する。キー割り当て情報１９１はキーシート１６のキー各々が有効であるか無効であるかを示すリストで構成されている。
【００１７】
キーシート１６のキーが押下されてそれに対応する信号が入力されると、制御部１５はキー割り当て情報１９１を参照し、そのキーが有効であるか無効であるか調べる。入力されたキーが有効であれば、制御部１５はスピーカ１７でビープ音（ＢＥＥＰ＃１）を鳴らして所定の処理を行い、無効であればビープ音（ＢＥＥＰ＃２）を鳴らして有効なキーが入力されるまで待機する。
【００１８】
図２は図１の携帯電話機１の動作を示すフローチャートである。これら図１及び図２を参照して本発明の一実施例による携帯電話機１の動作について説明する。尚、図２に示す処理は制御部１５がメモリ１９のプログラムを実行することで実現される。
【００１９】
携帯電話機１においては電源が投入されると、初期メニュー（待ち受け画面）のキーの割り当てが自動的に行われる（図２ステップＳ１）。制御部１５はキーシート１６でキーの入力が検出されると（図２ステップＳ２）、キー割り当て情報１９１を参照し、そのキーが有効であるか否かを判断する（図２ステップＳ３）。
【００２０】
制御部１５は入力されたキーが有効であれば、ビープ音（ＢＥＥＰ＃１）をスピーカ１７から発生させる（図２ステップＳ５）。また、制御部１５はそのキーが電源キーでなければ（図２ステップＳ６）、所定の処理を行い（図２ステップＳ７）、その処理でメニューの階層が変われば（図２ステップＳ１０）、ステップＳ１に戻ってキー割り当て情報１９１を更新する。
【００２１】
制御部１５は入力されたキーが電源キーであれば（図２ステップＳ６）、そのキーが押下されていた時間によって動作を変化させる。制御部１５はそのキーが押されていた時間が１秒以内であれば（図２ステップＳ８）、待ち受け画面に戻り（図２ステップＳ９）、そのキーが押されていた時間が１秒以上であれば（図２ステップＳ８）、電源ＯＦＦとして処理を終了する。
【００２２】
一方、制御部１５は入力されたキーが無効であれば（図２ステップＳ３）、ビープ音（ＢＥＥＰ＃１）とは異なるビープ音（ＢＥＥＰ＃２）をスピーカ１７から発生させ（図２ステップＳ４）、有効なキー操作が入力されるまで待機する。
【００２３】
このように、本実施例では、入力されたキーが有効であればビープ音（ＢＥＥＰ＃１）を発生させ、入力されたキーが無効であればビープ音（ＢＥＥＰ＃２）を発生させることによって、入力したキーが有効なのか無効なのかを容易に知ることができるので、間違ったキー操作を繰り返し行うことを防ぐことができる。この場合、本実施例では、携帯電話機１に備わっている装置（スピーカ１７）を報知手段として使用するため、有効無効の通知に特別のハードウェアを用いる必要がない。
【００２４】
図３及び図４は本発明の他の実施例による携帯電話機の動作を示すフローチャートである。本発明の他の実施例による携帯電話機はキー入力の有効性を知らせる方法が異なる以外は、上述した図１に示す本発明の一実施例による携帯電話機１と同様の構成となっているので、図１と図３と図４とを参照して本発明の他の実施例による携帯電話機１の動作について説明する。尚、図２及び図４に示す処理は制御部１５がメモリ１９のプログラムを実行することで実現される。
【００２５】
携帯電話機１は電源が投入されると、初期メニュー（待ち受け画面）のキーの割り当てが自動的に行われ（図３ステップＳ１１）、現在、音信号を出力しない状態（自端末を無音状態で使用する状態、いわゆるマナーモード）になっているか否かを判断する（図３ステップＳ１２）。このマナーモードになっていなければ、携帯電話機１は上述した本発明の一実施例と同様の動作が行われる（図３ステップＳ１３〜Ｓ２１）。
【００２６】
一方、マナーモードになっていれば、制御部１５はキーシート１６でキーの入力が検出されると（図４ステップＳ２２）、キー割り当て情報１９１を参照し、そのキーが有効であるか否かを判断する（図４ステップＳ２３）。
【００２７】
制御部１５は入力されたキーが有効であれば、バイブレータ１８による振動パターン＃１、またはＬＣＤバックライト１４１及びキーＬＥＤ１６１のうちの少なくとも一方の点滅による色変化パターン＃１を発生させる（図４ステップＳ２５）。また、制御部１５はそのキーが電源キーでなければ（図４ステップＳ２６）、所定の処理を行い（図４ステップＳ２７）、その処理でメニューの階層が変われば（図４ステップＳ３０）、ステップＳ１１に戻ってキー割り当て情報１９１を更新する。
【００２８】
制御部１５は入力されたキーが電源キーであれば（図４ステップＳ２６）、そのキーが押下されていた時間によって動作を変化させる。制御部１５はそのキーが押されていた時間が１秒以内であれば（図４ステップＳ２８）、待ち受け画面に戻り（図４ステップＳ２９）、そのキーが押されていた時間が１秒以上であれば（図４ステップＳ２８）、電源ＯＦＦとして処理を終了する。
【００２９】
一方、制御部１５は入力されたキーが無効であれば（図４ステップＳ２３）、バイブレータ１８による振動パターン＃２（振動パターン＃１とは異なるパターン）、またはＬＣＤバックライト１４１及びキーＬＥＤ１６１のうちの少なくとも一方の点滅による色変化パターン＃２（色変化パターン＃１とは異なるパターン）を発生させ（図４ステップＳ２４）、有効なキー操作が入力されるまで待機する。
【００３０】
このように、本実施例では、マナーモード以外の時に、入力されたキーが有効であればビープ音（ＢＥＥＰ＃１）を発生させ、入力されたキーが無効であればビープ音（ＢＥＥＰ＃２）を発生させるとともに、マナーモード時に入力されたキーが有効であれば振動パターン＃１及び色変化パターン＃１のうちの少なくとも一方を発生させ、入力されたキーが無効であれば振動パターン＃２及び色変化パターン＃２のうちの少なくとも一方を発生させることによって、入力したキーが有効なのか無効なのかを容易に知ることができるので、間違ったキー操作を繰り返し行うことを防ぐことができる。
【００３１】
この場合、本実施例では、携帯電話機１に備わっている装置（バイブレータ１８、ＬＣＤバックライト１４１、キーＬＥＤ１６１等）を報知手段として使用するため、有効無効の通知に特別のハードウェアを用いる必要がない。
【００３２】
尚、本実施例では、マナーモード以外の時に、キー入力の有効性を知らせる方法としてスピーカ１７によるキータッチトーンを用いているが、バイブレータ１８による振動、ＬＣＤバックライト１４１及びキーＬＥＤ１６１の点滅による色変化との組合せ、あるいは単独でもキー入力の有効性を知らせることができる。
【００３３】
バイブレータ１８における振動のパターンによって、キー操作が有効であるか無効であるかを区別することは、マナーモードにしてキータッチトーンを鳴らしたくない時や、周囲が騒がしくキータッチトーンが聞こえにくい時にバイブレータ１８を使用すると効果的である。
【００３４】
また、本実施例では、視覚的にキー操作の有効性を知らせることも可能である。この方法としては、ＬＣＤバックライト１４１及びキーＬＥＤ１６１を点滅させ、色を変化させる方法がある。これらスピーカ１７、バイブレータ１８、ＬＣＤバックライト１４１、キーＬＥＤ１６１といったキー操作有効性通知手段は、通常、着信の通知等に用いられているが、ユーザの好みに合わせてカスタマイズ可能である。
【００３５】
【発明の効果】
以上説明したように本発明は、少なくとも着信を通知する通知手段と、キー入力操作を行う入力手段とを含む携帯電話機において、入力手段によるキー入力操作が有効か無効かを判断し、キー入力操作が有効と判断された時に通知手段を用いて予め設定された第１のパターンでキー入力操作の有効を通知させ、キー入力操作が無効と判断された時に通知手段を用いて第１のパターンとは異なりかつ予め設定された第２のパターンでキー入力操作の無効を通知させることによって、特別のハードウェアを必要とすることなく、入力したキーが有効なのか無効なのかを容易に知ることができるという効果が得られる。
【図面の簡単な説明】
【図１】本発明の一実施例による携帯電話機の構成を示すブロック図である。
【図２】図１の携帯電話機の動作を示すフローチャートである。
【図３】本発明の他の実施例による携帯電話機の動作を示すフローチャートである。
【図４】本発明の他の実施例による携帯電話機の動作を示すフローチャートである。
【符号の説明】
１　携帯電話機
１１　無線部
１２　ベースバンド部
１３　音声処理部
１４　ディスプレイ
１５　制御部
１６　キーシート
１７　スピーカ
１８　バイブレータ
１９　メモリ
１４１　ＬＣＤバックライト
１６１　キーＬＥＤ
１９１　キー割り当て情報
１９２　メニュー
【図１】
2004146962.tif 000003
【図２】
2004146962.tif 000004
【図３】
2004146962.tif 000005
【図４】
2004146962.tif 000006